(57)【要約】【課題】１本の線材の弾性力を使用しながら、十分な押圧力を以って紙を挟むことを可能とするクリップの構成を提供すること。【解決手段】曲げ弾性を有する１本の線材を相互に接触した状態にて順次積層し、かつ各積層部分において閉形状を形成すると共に、当該線材の両側端部のうちの一方又は双方を前記閉形状から突出することによって突出部１０を形成していることに基づき、前記課題を達成し得る紙２を挟むことを目的とするクリップ１。【選択図】図１
0003155478.tif 000002
【実用新案登録請求の範囲】
【請求項１】
曲げ弾性を有する１本の線材を相互に接触した状態にて順次積層し、かつ各積層部分において閉形状を形成すると共に、当該線材の両側端部のうちの一方又は双方を前記閉形状から突出していることに基づく紙挟み用クリップ。
【請求項２】
端部が突出している側の積層数が２以上であって、４以下であることを特徴とする請求項１記載のクリップ。
【請求項３】
閉形状が、円形、楕円形、多角形の何れかであることを特徴とする請求項１、２の何れか一項に記載のクリップ。
【請求項４】
両端部の双方が突出している場合において、双方の突出部分が積層方向と直交する方向を基準とした場合に、交差せずに突出するに従って順次離れる形状、相互に平行な形状、相互に交差したうえで突出するに従って順次離れる形状の何れかを採用し得ることを特徴とする請求項１、２、３の何れか一項に記載のクリップ。
【請求項５】
突出した端部の先端を閉形状の中心位置に向かう方向、又はその反対方向に湾曲していることを特徴とする請求項１、２、３、４の何れか一項に記載のクリップ。
【請求項６】
突出した先端部の湾曲部分の積層方向を基準とする位置が隣接して積層している線材部分の位置と同一であることを特徴とする請求項５記載のクリップ。
【請求項７】
端部における突出部が、積層方向を基準として隣接する積層部分から順次離れた方向であることを特徴とする請求項１、２、３、４、５の何れか一項に記載のクリップ。
【考案の詳細な説明】
【技術分野】
【０００１】
本考案は、１枚又は複数枚の紙（大抵の場合は複数枚の場合が多い）を堅固な状態にて挟むことを可能とするようなクリップの構成に関するものである。
【背景技術】
【０００２】
紙を挟むクリップとしては、図５（ａ）に示すような１本の金属線を３個の略半円状の折返し部と当該３個の折返し部のうち、各２個の折返し部と残１個の折返し部との間を４個の直線部を形成し、当該４個の直線部のうち、各２本の直線部が相互に隣接した状態に形成したことによる細線状のクリップ、又は図５（ｂ）に示すように、断面略二等辺三角形状の開閉部と当該開閉部の両側に２本の指（大抵の場合には、人指し指）によって前記開閉を実現する把持部を固着させ、前記開閉部の端部によって紙を把持することによる端部による把持タイプの構成が採用されている。
【０００３】
しかしながら、前記細線タイプのクリップは、細線が有している弾性力が乏しく、しかも細線同士が押圧し合う関係にないため、安定した状態にて紙を挟んだ状態とすることが困難である。
【０００４】
これに対し、端部把持タイプのクリップは、開閉部の弾性力に基づき、その端部が押圧し合うことによって、十分な把持が可能であるが、１個の開閉部と２個の把持部という３個の部材を必要とする点において製作が煩雑であり、しかも、単価が比較的高額であるという欠点を免れることができない。
【０００５】
他方特許文献１は、多目的なクリップの構成を提唱しているが、図５（ａ）、（ｂ）に示すような従来技術の欠点を解決している訳ではない。
【先行技術文献】
【特許文献】
【０００６】
【特許文献１】特開２０００−３０１８７４号公報
【考案の概要】
【考案が解決しようとする課題】
【０００７】
本考案は、１本の線材の弾性力を使用しながら、十分な押圧力を以って紙を挟むことを可能とするクリップの構成を提供することを課題としている。
【課題を解決するための手段】
【０００８】
前記課題を解決するため、本考案の基本構成は、曲げ弾性を有する１本の線材を相互に接触した状態にて順次積層し、かつ各積層部分において閉形状を形成すると共に、当該線材の両側端部のうちの一方又は双方を前記閉形状から突出していることに基づく紙挟み用クリップからなる。
【考案の効果】
【０００９】
前記基本構成に係る本考案においては、曲げ弾性を有している線材同士が積層している部位に１枚又は複数枚の紙を、突出した端部の側から挿入した場合には、積層部分の両側における曲げ弾性に基づく反発力を原因として十分な押圧力を伴って紙を挟んだ状態を実現することができる。
【図面の簡単な説明】
【００１０】
【図１】本発明のクリップの典型的な実施形態として、閉形状が円形である場合を示しており、（ａ）は両端の双方が突出し、かつ交差せずに順次離れてゆく形状の平面図を示し、（ａ）’は一方端部が突出している場合の平面図を示し、（ｂ）は（ａ）の実施形態の見取図を示し、（ｃ）は（ａ）の実施形態において一方側端部から紙を挿入している場合の平面図を示している（図１（ｃ）の白線の矢印は、紙を挿入する方向を示す。）。
【図２】閉形状として円形以外の形状を示す平面図であって、（ａ）は楕円形状であり、しかも双方の突出部が交差したうえで順次離れてゆく形状を示しており、（ｂ）は閉形状が多角形（正方形）であって、しかも双方の突出部が平行の形状を示している。
【図３】実施例１の構成を示す平面図であって、（ａ）は突出部の先端部が平面視において閉形状の中心位置の方向に湾曲している場合を示しており、（ｂ）は突出部の先端部が閉形状の中心位置の反対方向に湾曲している場合を示している。
【図４】実施例２の構成を示しており、（ａ）は平面図を示しており、（ｂ）は見取り図を示している。
【図５】従来技術によるクリップの形状を示しており、（ａ）は細線タイプの平面図を示しており、（ｂ）は把持タイプの側面図を示している。
【考案を実施するための形態】
【００１１】
図１は、前記基本構成の典型的な実施形態であって、図１（ａ）、（ａ）’、（ｂ）、（ｃ）に示すように、閉形状として円形を選択した場合を示している。
【００１２】
１本の細線を積層した場合には、平面視において、両端部を結ぶラインの一方側は他方側に比し積層の個数が１個少ないという状態に至るが、図１の実施形態は、図１（ｂ）に示すように、突出部１０側の積層の数が２個であり、その反対側における積層の数が３個である場合を示している。
但し、本考案においては、突出部１０側における積層の数は限定されていない。
但し、通常２個ないし４個の積層を選択する場合が多い。
【００１３】
前記積層の数は、線材の弾性力が十分である場合には少なくて済み、弾性力が乏しい場合には多く設定することを必要としている（この点は、端部の積層部分と他の積層部分との弾性に基づく反発力を原因とする押圧力によって紙２を挟む場合において、他の積層部分の数が多い程、反発力が大きくなることに照らしても十分理解し得るところである。）。
【００１４】
一般に金属製の場合には積層の数が少なくて済む傾向にあるのに対し、プラスチック製の場合には積層の数が多いという傾向にある。
【００１５】
前記基本構成記載のように、両端部の突出の状態は、図１（ａ）’に示すように、片方のみの場合もあり得るが、図１（ｃ）に示すように、紙２を突出部１０を介して積層部に挿入することを考慮するならば、使用上の便宜としては、双方に突出部１０を設ける実施形態の方が好ましい。
【００１６】
本考案の閉形状は、図１（ａ）のような円形に限定される訳ではなく、色々な形状を採用することができ、例えば図２（ａ）に示すような楕円形状、図２（ｂ）に示すような多角形状、即ち典型例としては正方形を選択することも可能である。
【００１７】
両端部の双方を突出部１０として採用した場合の双方の形状としては、積層方向に直交する方向（図１及び図２の各平面図における平面視の方向）を基準とした場合に、図１（ａ）に示すように、交差せずに突出するに従って順次離れる形状、図２（ａ）に示すように、相互に交差したうえで突出するに従って順次離れる形状、図２（ｂ）に示すように、平行な形状の何れをも選択することができる。
但し、図２（ａ）の交差形状はコンパクトな設計である点において優れている。
【００１８】
本考案のクリップ１は曲げ弾性を使用することから、通常金属製又はプラスチック線を採用するが、好適な実施形態としては、ピアノ線、ステンレス線、ガラス繊維を含有するプラスチック線を挙げることができる。
【００１９】
ガラス繊維を含有するプラスチック線においては、通常３０％程度のガラス繊維を含有することによって曲げ弾性力とプラスチック線特有の柔軟性とを兼ね備えることが可能となる。
【実施例１】
【００２０】
実施例１においては、図３（ａ）、（ｂ）にそれぞれ示すように、突出した端部の先端を閉形状の中心位置に向かう方向、又はその反対方向に湾曲していることを特徴としている。
【００２１】
このような先端部が湾曲している実施例１においては、先端部から当該紙２を挿入する際、先端部に指が接触した場合に、柔らかいタッチを実現することができる。
【００２２】
特に、突出した先端部の湾曲部分の積層方向の位置が隣接して積層している線材部分の位置と同一であることを特徴とする構成を採用した場合には、挿入した後においても、湾曲部が隣接する積層部と積層方向において同レベルであるため、湾曲部が紙２に接した際にて更なる押圧力を発揮することができる。
【実施例２】
【００２３】
実施例２においては、図４（ａ）、（ｂ）に示すように、端部における突出部１０が、積層方向を基準として隣接する積層部分から順次離れた方向であることを特徴としている。
【００２４】
このような実施例２においては、積層方向を基準として、突出部１０が順次離れた方向であることから、紙２を挿入する際、離れた方向であることによって形成された形状であることによって誘引され、紙２を容易に突出部１０及びその隣接部分に挿入することが可能となる。
【産業上の利用可能性】
【００２５】
本考案は、紙を挟むというクリップの全分野に利用することが可能である。
【符号の説明】
【００２６】
１  クリップ
１０  突出部
２  紙
【図１】
0003155478.tif 000003
【図２】
0003155478.tif 000004
【図３】
0003155478.tif 000005
【図４】
0003155478.tif 000006
【図５】
0003155478.tif 000007